(57)【要約】【課題】  測定時と収納時との比較において、その全体の体積を大きく変化させることにより、収納性・携帯性の向上を可能とする構成を備える血圧計を提供する。【解決手段】  ハウジングは、第１ハウジング２０と、第２ハウジング３０とを有し、カフ帯１０は、内側に折れ曲がる屈曲部Ｂが設けられ、屈曲部Ｂを境にして、カフ帯１０の外周表面の一方側に第１ハウジング２０が配設され、他方側に第２ハウジング３０が配設されている。【選択図】        図２
2006081655.tif 000002
【特許請求の範囲】
【請求項１】
血圧測定用装置が収容されるハウジングと、前記ハウジングを支持し生体に巻き付けられるカフ帯と、を備える血圧計であって、
前記ハウジングは、第１ハウジングと第２ハウジングとを有し、
前記カフ帯には、折れ曲がる屈曲部が設けられ、前記屈曲部を境にして、前記カフ帯の外周表面の一方側に前記第１ハウジングが配設され、他方側に前記第２ハウジングが配設される、血圧計。
【請求項２】
前記カフ帯および前記ハウジングの少なくともいずれか一方には、折り畳まれた状態から、前記屈曲部を中心として前記カフ帯が外側に向けて広げられた際に、内側に向かう力を発生させるための弾性部材を有する、請求項１に記載の血圧計。
【請求項３】
前記カフ帯および前記ハウジングの少なくともいずれか一方には、広げられた状態から、前記屈曲部を中心として前記カフ帯が内側に向けて折り曲げられた際に、外側に向かう力を発生させるための弾性部材を有する、請求項１に記載の血圧計。
【請求項４】
前記弾性部材は、略円弧形状を有する可撓性の弾性力を有するカーラである、請求項２または３に記載の血圧計。
【請求項５】
前記カーラにヒンジ部を設け、このヒンジ部において、前記屈曲部が構成される、請求項３または４のいずれかに記載の血圧計。
【請求項６】
前記弾性部材はコイルバネである、請求項２または３に記載の血圧計。
【請求項７】
前記カフ帯は、略円弧形状を有する二つに分離されたカーラを有し、前記屈曲部を挟んで、二つに分離された前記カーラが配設され、前記カフ帯自身により前記屈曲部が構成される、請求項１に記載の血圧計。
【請求項８】
前記カフ帯が外側に向かって広げられた際に、前記カフ帯の外側への所定以上の広がりを抑制するために、前記第１ハウジングの前記屈曲部側に位置する領域と前記第２ハウジングの前記屈曲部側に位置する領域とに、それそれ当接領域が設けられる、請求項１から７のいずれかに記載の血圧計。
【請求項９】
前記第１ハウジングおよび前記第２ハウジングの少なくともいずれか一方は、前記カフ帯に対して着脱可能に設けられる、請求項１から８のいずれかに記載の血圧計。
【請求項１０】
前記第１ハウジングには、血圧測定装置本体が収納され、
前記第２ハウジングには、電源が収納される、請求項１から９のいずれかに記載の血圧計。
【発明の詳細な説明】
【技術分野】
【０００１】
この発明は、血圧計に関し、その収納性・携帯性に関する血圧計の構造に関する。
【背景技術】
【０００２】
人体の上腕または手首にカフ帯を巻きつけて測定を行う血圧計においては、日常の使用時には、常時携帯し時間・場所を問わず測定が可能とするために、血圧計本体部およびカフ帯の収納性・携帯性が必要とされる。従来の技術としては以下に示す、特許文献１〜７に挙げられるものがある。
【０００３】
特許文献１に開示される血圧計においては、携帯が容易になるように薄型化かつコンパクト化を図るために、阻血用カフ帯と血圧計本体が重なる測定姿勢と阻血用カフ帯と血圧計本体とが並置される収納姿勢とに切換え可能な構成を備え、阻血用カフ帯と血圧計本体とを一体化させた構成が採用されている。特許文献２に開示される血圧計においては、クリップ板の外面に凹溝を設け、内方へ折り畳み自在でかつ円弧状断面よりも外方へ広がらないように、折り畳み回動させるヒンジ部を形成した血圧計のカフ帯が採用されている。
【０００４】
また、特許文献３に開示される血圧計においては、ハウジングの曲率が変化し装着性が向上するよう、カフ帯周方向に複数個分割された剛体部を可撓性部材で連結されているハウジングが採用されている。また、特許文献４に開示される血圧においては、腕時計型血圧計において装着性向上のため、時計部と血圧測定部をカフ帯周方向に対して垂直に配置し、ポンプを周方向に配置し全体を薄型にした構成が採用されている。
【０００５】
また、特許文献５に開示される血圧においては、本体構成が表面に表示部、側面に操作スイッチが配されていることにより、表面全体を表示部の配置スペースとして用いることができ、また操作スイッチの厚みが全体の厚みに影響を与えない構成が採用されている。また、特許文献６に開示される血圧においては、本体左右の斜め下方に圧迫帯の外周面に添う形状で張り出す一対の収納部を備え、内部に重量物が配される構成が採用されている。また、特許文献７に開示される血圧においては、電池を本体両端部に振り分けて配置しているとともに両電池をカフ帯から見て同じ高さに配置している構成が採用されている。
【０００６】
しかしながら、上記従来の各構成では、収納性を向上させるため、測定時と本体の形態やカーラ形状を変化させる収納時とを比較した場合、全体の体積はあまり変化せずその効果は小さい。本体を薄型にし装着性を向上してもカーラの形状がそのままであると収納性は劣る。一方、収納スペースを小さくするためにカーラの形状を小さくする構成、カーラ自体を柔らかい材料にする構成においては、カフ帯の圧迫力や装着性を阻害することが懸念される、といった問題点がある。
【０００７】
また、血圧計内部コンポーネントを小型化にし、その配置構成を密にしても、本体内部に電池を配置している限り、電池の形状を変更することは不可能であるため、本体形状が電池形状に依存し本体小型化・薄型化に限界が生じる、といった問題点もある。
【特許文献１】特開２００３−２９９６２６号公報
【特許文献２】特開平０６−１０５８１３号公報
【特許文献３】実開平０５−０７８２０３号公報
【特許文献４】特開平０９−２８５４５３号公報
【特許文献５】特開平１１−０５６７９６号公報
【特許文献６】特開平０６−１１４０１５号公報
【特許文献７】特開平１１−０４２２１７号公報
【発明の開示】
【発明が解決しようとする課題】
【０００８】
この発明が解決しようとする課題は、上述したように、血圧計の収納時において、その形態が十分に小型化されず、収納性・携帯性の向上が十分に図られていない点にある。したがって、この発明の目的は、測定時と収納時との比較において、その全体の体積を大きく変化させることにより、収納性・携帯性の向上を可能とする構成を備える、血圧計を提供することにある。
【課題を解決するための手段】
【０００９】
この発明に基づいた血圧計においては、血圧測定用装置が収容されるハウジングと、前記ハウジングを支持し、生体に巻き付けられるカフ帯と、を備える血圧計であって、前記ハウジングは、第１ハウジングと、第２ハウジングとを有し、前記カフ帯には、折れ曲がる屈曲部が設けられ、前記屈曲部を境にして、前記カフ帯の外周表面の一方側に前記第１ハウジングが配設され、他方側に前記第２ハウジングが配設されている。
【発明の効果】
【００１０】
この発明に基づいた血圧計によれば、血圧測定用装置が収容されるハウジング第１ハウジングと第２ハウジングとに分離し、この第１ハウジングと第２ハウジングとの間に、カフ帯の屈曲部を配置するようにしたことから、屈曲部を中心として、十分にカフ帯を折り曲げることが可能となる。その結果、ハウジングおよびカフ帯を十分折りたたむ構造にすることができ、収納性を向上させることが可能となる。また、収納時における血圧計の収納ケースをより小さくすることで携帯性も向上させることが可能となる。
【００１１】
また、カフ帯が屈曲点を中心に折れ曲がることから、装着時においてカフ帯を人体に拘束させやすいように、比較的硬いカーラを内蔵したカフ帯を用いた場合であっても、収納性を向上させることが可能となる。また、カフ帯を小さくする必要がないため、また柔らかくする必要がないため、カフ帯の圧迫性能および装着性を低下させることもない。また、たとえば、第１ハウジングには、血圧測定装置本体を収納し、第２ハウジングに電源を収納する構成を採用することで、第２ハウジングの大きさ（厚み）は、電池等の電源のサイズにより決定されるが、第１ハウジングにおいては、電源のサイズに関係なく薄型化を図ることが可能となるため、さらに、携帯性および収納性を向上させることが可能となる。
【発明を実施するための最良の形態】
【００１２】
以下、この発明に基づいた各実施の形態における血圧計の構造について、図を参照しながら説明する。なお、各実施の形態において、同一または相当箇所については同一の参照番号を付し、重複する説明は繰り返さないこととする。
【００１３】
（実施の形態１）
図１〜図５を参照して、本実施の形態における血圧計１００Ａの構成について説明する。なお、図１は、本実施の形態における血圧計１００Ａの平面図、図２は側面図（カフ帯のみ断面図）、図３は、図１中ＩＩＩ−ＩＩＩ線矢視断面図である。また、図４は、本実施の形態における血圧計に採用されるカフ帯のカーラの構造を示す側面図であり、図５は、そのカーラが折り曲げられた状態を示す側面図である。
【００１４】
（カフ帯１０）
図１〜図３を参照して、この血圧計１００Ａは、血圧測定用装置が収容されるハウジング４０と、このハウジング４０を支持し、生体１に巻き付けられるカフ帯１０とを備えている。カフ帯１０は、内部に空気が導入されることにより生体の動脈を圧迫するための空気袋１１と、カフ帯１０の形態を、生体（図２においては手首）に巻き付けやすい形態とするため、その断面形状を略円弧形状に維持するためのカーラ１２とを有し、この空気袋１１とカーラ１２とは、外布１３および内布１４により覆われている。また、外布１３の一端側の外面には、面ファスナ１６が設けられ、外布１３の他端側の内面には、カフ帯１０の手首１への巻き付け強さ、および巻き付け長さを調節するための、調節用面ファスナ１５が取り付けられている。
【００１５】
カーラ１２は、図４および図５に示すように、全体として略円弧形状に維持された形状を有し、可撓性樹脂製の弾性部材から形成され、内側に折り畳まれた状態を基本形態（成形形状状態）としている。このカーラ１２は、Ｕ字形状に成型されたヒンジ部１２Ｃと、このヒンジ部１２Ｃを境として両側に広がる第１湾曲部１２Ａおよび第２湾曲部１２Ｂと有し、第１湾曲部１２Ａの一端が、第２湾曲部１２Ｂの一端側に覆い被さる形態を有している。第２湾曲部１２Ｂの外周面上には、係止片１２Ｄが設けられている。この係止片１２Ｄは、後述の第１ハウジング２０の底面に設けられた穴に係合することにより、第１ハウジング２０をカフ帯１０に対して着脱可能に支持している。同様の係止片を第１湾曲部１２Ａの外周面上に設けることで、後述の第２ハウジング３０をカフ帯１０に対して着脱可能に支持することも可能である。
【００１６】
本実施の形態におけるカーラ１２は、図４に示すように、内側に折り畳まれた状態が基本形態として安定した状態にあるため、図５に示すように、第１湾曲部１２Ａおよび第２湾曲部１２Ｂを外側に広げることで、カーラ１２自身の弾性力により内側に向かう力（図中矢印Ａ方向の力）を発生させている。なお、図５に示すように、第１湾曲部１２Ａおよび第２湾曲部１２Ｂが外側に広げられた状態を、安定した状態である基本形態（成形形状状態）とし、図４に示すように、内側に折り畳まれた状態において、カーラ１２自身の弾性力により外側に向かう力を発生させる構成の採用も可能である。
【００１７】
上記のようにカーラ１２を構成することで、カフ帯１０は、カーラ１２のヒンジ部１２Ｃにおいて屈曲部Ｂが形成されることなる。また、カーラ１２を弾性部材から成型することで、カーラ１２自身の形態を変化させることで（図５の状態から図４の状態への変化、または、図４の状態から図５の状態への変化）、元の基本形態に復元させるための弾性力を発生させることができる。
【００１８】
（ハウジング４０）
再び、図２および図３を参照して、ハウジング４０は、第１ハウジング２０と、第２ハウジング３０とに分離され、カフ帯１０の屈曲部Ｂを境にして、カフ帯１０の外周表面の一方側に第１ハウジング２０が配設され、他方側に第２ハウジング３０が配設されている。第１ハウジング２０には、血圧測定装置本体２３が収容され、その表面には、液晶等からなる表示部２１、操作部２２が設けられ、内部には、制御ユニット、エアーポンプ等の主要部品が収容されている。第２ハウジング３０には、電源としての電池３１が収容されている。第２ハウジング３０内には、電池３１に接続する電池用電極３２が所定位置に配設され、この電池用電極３２は、ケーブル３３により第１ハウジング２０内の血圧測定装置本体２３に電気的に接続されている。また、第１ハウジング２０内に設けられたエアーポンプから空気袋１１へのチューブ等の空気系接続部材は、カフ帯１０内に収容されている。
【００１９】
また、第１ハウジング２０と第２ハウジング３０との間のカフ帯１０の屈曲部Ｂに相当する位置には、第１ハウジング２０と第２ハウジング３０とを相互に回動可能なように連結するための枢軸部５０が設けられている。この枢軸部５０には、第１ハウジング２０および第２ハウジング３０を、枢軸部５０を中心として内側に回転させた場合に、第１ハウジング２０および第２ハウジング３０を外側に向けて付勢するためのコイルバネ６０が配設されている。また、この枢軸部５０には、第１ハウジング２０および第２ハウジング３０を、枢軸部５０を中心として外側に回転させた場合に、第１ハウジング２０および第２ハウジング３０を内側に向けて付勢するためのコイルバネ６０が配設されてもよい。
【００２０】
たとえば、カーラ１２自身の可撓性の弾性力により内側に折り畳まれる力が作用している形態を基本とした場合（図４に示す形態）、その作用を付加する目的でコイルバネ６０を配設すると、カフ１０の装着時における手首(生体)へのグリップ力が増し、カフ１０の装着時の生体への圧迫性能をさらに向上させることが可能となる。また、上記とは反対に、コイルバネ６０をカフ帯１０を開く方向に作用させた場合には、後述のケース５００から血圧計１００Ａを取り出す際に、折り畳まれた状態から広がったカール状態に復帰するので、生体に装着する時にカーラを広げ易くすることも可能となる。
【００２１】
（作用・効果）
上記構成からなる血圧計１００Ａによれば、図２および図３を参照して、基本状態においては、カフ帯１０が折り畳まれた状態となるが、第１ハウジング２０と第２ハウジング３０とを屈曲部Ｂを境にして分離して配置していることから、カフ帯１０は屈曲部Ｂを中心にして大きく折れ曲がることになる。その結果、図６および図７に示す装着状態に比べて、収納性を向上させることを可能としている。また、収納性を向上させることができるので、図８に示すように、収納時における血圧計１００Ａの収納ケース５００をより小さくすることで携帯性も向上させることを可能としている。
【００２２】
また、図２に示すように、第１ハウジング２０の屈曲部Ｂ側に位置する領域と、第２ハウジング３０の屈曲部Ｂ側に位置する領域とに、それそれストッパ領域としての当接領域２４，２５を設けることで、カフ帯４０が外側に向かって広げられた際（図６および図７に示す状態）に、カフ帯４０の外側への所定以上の広がりを抑制することを可能としている。また、カフ帯１０が屈曲点Ｂを中心に折れ曲がることから、装着時においてカフ帯１０を手首に拘束させやすいように、比較的硬いカーラ１２を内蔵したカフ帯１０を用いた場合であっても、収納性を向上させることができる。また、カフ帯１０を小さくする必要がないため、また柔らかくする必要がないため、カフ帯１０の圧迫性能および装着性を低下させることもない。
【００２３】
また、第１ハウジング２０血圧測定装置本体２３を収容し、第２ハウジング３０に電池３１を収容することで、第２ハウジング３０の大きさ（厚み）は、電池３１のサイズにより決定されるが、第１ハウジング２０においては、電池３１のサイズに関係なく薄型化を図ることができる。また、第１ハウジング２０の設計においては、電池３１の総高に依存されることないため、第１ハウジング２０の大きさ、カフ帯１０の幅を縮小することができる。また、第１ハウジング２０薄型にしても、電池３１の配置スペースにとらわれることがないため、表示部２１の面積を拡張することが可能となり視認性の向上を図ることも可能となる。さらに、本体を薄型にしても、電池配置スペースにとらわれることなく操作部２２の面積もしくは個数を増加することも可能となり、操作性の向上を図ることができる。
【００２４】
（実施の形態２）
次に、図９および図１０を参照して、本実施の形態における血圧計１００Ｂの構成について説明する。なお、図９は、本実施の形態における血圧計１００Ｂの装着状態における側面図（カフ帯のみ断面図）、図１０は、外側に広げられた状態の側面図（カフ帯のみ断面図）である。なお、上記実施の形態１と、同一または相当箇所については同一の参照番号を付し、重複する説明は繰り返さず、特徴的部分のみ説明することとする。
【００２５】
上記実施の形態１における血圧計１００Ａは、ハウジング４０において、第１ハウジング２０と第２ハウジング３０とは、枢軸部５０を中心にして回動可能に連結されていたが、本実施の形態における血圧計１００Ｂは、第２ハウジング３０が、第１ハウジング２０に対して完全に分離して配置されている。なお、ケーブル３３等の電気系接続部材は、カフ帯１０の内部に収容されて血圧測定装置本体２３に電気的に接続されていることから、図示を省略している。上記構成からなる血圧計１００Ｂによっても、上記実施の形態１における血圧計１００Ａと同様の作用効果を得ることが可能である。なお、第１ハウジング２０に屈曲部Ｂの位置と一致する枢軸部５０を設けているが、枢軸部５０を廃止し、第１ハウジング２０を第２ハウジング３０と同様に、カフ帯１０の上面に独立した形式で固定することも可能である。
【００２６】
なお、図９に示す、折り畳まれた状態を基本形状としているが、図１０の生体に装着された状態を基本形態とし、カーラ１２の弾性力に抗して折り畳む構成を採用することも可能である。
【００２７】
（実施の形態３）
次に、図１１および図１２を参照して、本実施の形態における血圧計１００Ｃの構成について説明する。なお、図１１は、本実施の形態における血圧計１００Ｃの装着状態における側面図（カフ帯のみ断面図）、図１２は、外側に広げられた状態の側面図（カフ帯のみ断面図）である。なお、上記実施の形態１および２と、同一または相当箇所については同一の参照番号を付し、重複する説明は繰り返さず、特徴的部分のみ説明することとする。
【００２８】
上記実施の形態１における血圧計１００Ａは、カフ帯１０のカーラ１２にヒンジ部１２Ｃが設けられているたが、本実施の形態における血圧計１００Ｃは、ヒンジ部１２Ｃを設けず、第１湾曲部１２Ａと第２湾曲部１２Ｂとが分離されたカーラ１２を用いている。また、第１湾曲部１２Ａと第２湾曲部１２Ｂとが分離された領域の上面側に、第１ハウジング２０と第２ハウジング３０との枢軸部５０を配置させ、この領域において屈曲部Ｂを形成している。また、図３において示したように、枢軸部５０には、コイルバネ６０が装着されている。上記構成からなる血圧計１００Ｃによっても、上記実施の形態１における血圧計１００Ａと同様の作用効果を得ることが可能である。
【００２９】
なお、図１１に示す、折り畳まれた状態を基本形状としているが、図１２の生体に装着された状態を基本形態とし、コイルバネ６０の弾性力に抗して折り畳む構成を採用することも可能である。
【００３０】
なお、上記各実施の形態において、電池３１の長手方向の配置方向として、カフ帯１０の延びる方向（巻き付け方向）に対して、直交するする方向に配置した場合を示しているが、電池３１の長手方向とカフ帯１０の延びる方向とが同一となるように配置することも可能である。また、電池３１および第２ハウジング３０として、充電池の機能を有する構成にすることも可能である。
【００３１】
また、上記各実施の形態において、一般的な例として、手首式血圧計に本発明の技術的思想を適用した場合について説明しているが、上腕式血圧計、指式血圧計等、広く本発明を適用することが可能である。したがって、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００３２】
【図１】実施の形態１における血圧計の平面図である。
【図２】実施の形態１における血圧計の側面図（カフ帯のみ断面図）である。
【図３】図１中ＩＩＩ−ＩＩＩ線矢視断面図である。
【図４】実施の形態１における血圧計に採用されるカフ帯のカーラの構造を示す側面図である。
【図５】図４に示すカーラが外側に広げられた状態を示す側面図である。
【図６】実施の形態１における血圧計を生体に取り付けた状態の側面図である。
【図７】実施の形態１における血圧計を生体に取り付けた状態の断面である。
【図８】実施の形態１における血圧計を収納ケースに収納した状態を示す図である。
【図９】実施の形態２における血圧計の基本形態を示す側面図（カフ帯のみ断面図）である。
【図１０】実施の形態２における血圧計の装着状態における側面図（カフ帯のみ断面図）である。
【図１１】実施の形態３における血圧計の基本形態を示す側面図（カフ帯のみ断面図）である。
【図１２】実施の形態３における血圧計の装着状態における側面図（カフ帯のみ断面図）である。
【符号の説明】
【００３３】
１００Ａ，１００Ｂ，１００Ｃ  血圧計、１  生体、１０  カフ帯、１１  空気袋、１２  カーラ、１３  外布、１４  内布、１６  面ファスナ、１５  調節用面ファスナ、１２Ａ  第１湾曲部、１２Ｂ  第２湾曲部、１２Ｃ  ヒンジ部、１２Ｄ  係止片、２０  第１ハウジング、２１  表示部、２２  操作部、２３  血圧測定装置本体、２４，２５  当接領域、３０  第２ハウジング、３１  電池、３２  電池用電極、３３  ケーブル、４０  ハウジング、５０  枢軸部、６０  コイルバネ、５００  収納ケース、Ｂ  屈曲部。
【図１】
2006081655.tif 000003
【図２】
2006081655.tif 000004
【図３】
2006081655.tif 000005
【図４】
2006081655.tif 000006
【図５】
2006081655.tif 000007
【図６】
2006081655.tif 000008
【図７】
2006081655.tif 000009
【図８】
2006081655.tif 000010
【図９】
2006081655.tif 000011
【図１０】
2006081655.tif 000012
【図１１】
2006081655.tif 000013
【図１２】
2006081655.tif 000014